(57)【要約】【課題】ウェットティッシュ加熱装置における安全性をより一層高めること。【解決手段】本装置1は、ウェットティッシュ収納体を収容する装置容器本体2と、装置容器本体2に着脱自在に装着され、ウェットティッシュを取り出すためのウェットティッシュ取出し口が形成された上面封止部材3と、ウェットティッシュ収納体を上面封止部材3に向けて付勢する収納体付勢手段5と、上面封止部材3に設けられた発熱体を有し、ウェットティッシュ収納体を加熱する収納体加熱手段15と、装置容器本体2に対する上面封止部材3の装着状態を検出し、非装着状態においては発熱体15への電力供給を遮断する電力供給遮断手段28とを備える。【選択図】図１６
2015216992.tif 000002
【特許請求の範囲】
【請求項１】
上面開口を有し、ウェットティッシュ収納体を収容するための装置容器本体と、
前記上面開口を封止するように前記装置容器本体に着脱自在に装着され、ウェットティッシュを取り出すためのウェットティッシュ取出し口が形成された上面封止部材と、
前記ウェットティッシュ収納体を前記上面封止部材に向けて付勢するための収納体付勢手段と、
前記上面封止部材に設けられた発熱体を有し、前記ウェットティッシュ収納体を加熱するための収納体加熱手段と、
前記装置容器本体に対する前記上面封止部材の装着状態を検出し、非装着状態においては前記発熱体への電力供給を遮断するための電力供給遮断手段と、を備えたウェットティッシュ加熱装置。
【請求項２】
前記電力供給遮断手段は、前記上面封止部材に設けられ、前記発熱体に対して電気的に接続されたスイッチと、前記装置容器本体に設けられ、前記上面封止部材を前記装置容器本体に装着した際に前記スイッチを切り替え操作する操作片と、を有する、請求項１記載のウェットティッシュ加熱装置。
【請求項３】
前記スイッチは、その導通状態と遮断状態とを切り換えるための被操作片を有し、
前記装置容器本体の前記操作片は、前記上面封止部材を前記装置容器本体に装着した際に前記スイッチの前記被操作片を押圧するように構成されている、請求項２記載のウェットティッシュ加熱装置。
【請求項４】
前記スイッチの前記被操作片の誤操作を防止するために前記被操作片の周囲に遮蔽部材が設けられている、請求項３記載のウェットティッシュ加熱装置。
【請求項５】
前記収納体付勢手段は、前記装置容器本体の内部に昇降自在に設けられ、前記ウェットティッシュ収納体が載置される昇降載置台を有し、
前記操作片は、前記昇降載置台の昇降動作を案内するために前記装置容器本体に設けられた案内部材と一体に形成されている、請求項２乃至４のいずれか一項に記載のウェットティッシュ加熱装置。
【請求項６】
前記発熱体に対して電力を供給するための電源ケーブルをさらに有し、
前記電源ケーブルは、前記上面封止部材に設けられ且つ前記発熱体に電気的に接続された端子に対して着脱自在に接続されている、請求項１乃至５のいずれか一項に記載のウェットティッシュ加熱装置。
【請求項７】
前記上面封止部材を前記装置容器本体に対して解放可能に固定するための封止部材固定手段をさらに有し、
前記封止部材固定手段は、フック機構を有する第１封止部材固定手段と、圧嵌機構を有する第２封止部材固定手段と、を有する、請求項１乃至６のいずれか一項に記載のウェットティッシュ加熱装置。
【請求項８】
前記ウェットティッシュ取出し口の上方を開放可能に封止するための蓋部材をさらに有する、請求項１乃至７のいずれか一項に記載のウェットティッシュ加熱装置。
【請求項９】
前記蓋部材の操作箇所をユーザーに表示するための表示手段をさらに有し、
前記表示手段は、前記発熱体に電力が供給されている場合に発光する発光体を有する、請求項１乃至８のいずれか一項に記載のウェットティッシュ加熱装置。
【請求項１０】
前記ウェットティッシュ収納体内のウェットティッシュの残量を表示するための残量表示手段をさらに有する、請求項１乃至９のいずれか一項に記載のウェットティッシュ加熱装置。
【請求項１１】
前記上面封止部材は、その少なくとも一部が前記上面開口を介して前記装置容器本体の内部に嵌め込まれるように形成されており、前記上面封止部材と前記装置容器本体との間の相補的な形状が非対称に形成されている、請求項１乃至１０のいずれか一項に記載のウェットティッシュ加熱装置。
【発明の詳細な説明】
【技術分野】
【０００１】
本発明は、常温よりも高い温度に加熱されたウェットティッシュをその使用時に供給可能とするためのウェットティッシュ加熱装置に関する。
【背景技術】
【０００２】
従来、布おしぼりの代用品として、お手拭き用、キッチン用、トイレ掃除用、乳幼児や病人のお尻拭き用などの、使い捨てタイプのウェットティッシュが幅広く使用されている。
【０００３】
特に、乳幼児や病人のお尻拭き用のウェットティッシュを、冬期等の気温の低い時期に使用する場合には、ウェットティッシュの温度が低いために、使用時に乳幼児や病人に不快感を与えてしまうという問題があった。
【０００４】
上述した問題を解決するために、特許文献１、２には、可撓性の容器（ビニール袋など）に収容されたウェットティッシュを加熱するための装置が開示されている。
【先行技術文献】
【特許文献】
【０００５】
【特許文献１】特許第３２７８３０５号公報
【特許文献２】特許第４３８４７６１号公報
【発明の概要】
【発明が解決しようとする課題】
【０００６】
ウェットティッシュ加熱装置は、ウェットティッシュを加熱するための加熱部を備えているので、装置の誤使用などを防止して、安全性を確実に確保することが重要である。
【０００７】
そこで、本発明の目的は、ウェットティッシュ加熱装置における安全性をより一層高めることにある。
【課題を解決するための手段】
【０００８】
上記課題を解決するために、第１の態様による本発明のウェットティッシュ加熱装置は、上面開口を有し、ウェットティッシュ収納体を収容するための装置容器本体と、前記上面開口を封止するように前記装置容器本体に着脱自在に装着され、ウェットティッシュを取り出すためのウェットティッシュ取出し口が形成された上面封止部材と、前記ウェットティッシュ収納体を前記上面封止部材に向けて付勢するための収納体付勢手段と、前記上面封止部材に設けられた発熱体を有し、前記ウェットティッシュ収納体を加熱するための収納体加熱手段と、前記装置容器本体に対する前記上面封止部材の装着状態を検出し、非装着状態においては前記発熱体への電力供給を遮断するための電力供給遮断手段と、を備えたことを特徴とする。
【０００９】
第２の態様による本発明は、第１の態様による本発明において、前記電力供給遮断手段は、前記上面封止部材に設けられ、前記発熱体に対して電気的に接続されたスイッチと、前記装置容器本体に設けられ、前記上面封止部材を前記装置容器本体に装着した際に前記スイッチを切り替え操作する操作片と、を有する、ことを特徴とする。
【００１０】
第３の態様による本発明は、第２の態様による本発明において、前記スイッチは、その導通状態と遮断状態とを切り換えるための被操作片を有し、前記装置容器本体の前記操作片は、前記上面封止部材を前記装置容器本体に装着した際に前記スイッチの前記被操作片を押圧するように構成されている、ことを特徴とする。
【００１１】
第４の態様による本発明は、第３の態様による本発明において、前記スイッチの前記被操作片の誤操作を防止するために前記被操作片の周囲に遮蔽部材が設けられている、ことを特徴とする。
【００１２】
第５の態様による本発明は、第２乃至第４のいずれかの態様による本発明において、前記収納体付勢手段は、前記装置容器本体の内部に昇降自在に設けられ、前記ウェットティッシュ収納体が載置される昇降載置台を有し、前記操作片は、前記昇降載置台の昇降動作を案内するために前記装置容器本体に設けられた案内部材と一体に形成されている、ことを特徴とする。
【００１３】
第６の態様による本発明は、第１乃至第５のいずれかの態様による本発明において、前記発熱体に対して電力を供給するための電源ケーブルをさらに有し、前記電源ケーブルは、前記上面封止部材に設けられ且つ前記発熱体に電気的に接続された端子に対して着脱自在に接続されている、ことを特徴とする。
【００１４】
第７の態様による本発明は、第１乃至第６のいずれかの態様による本発明において、前記上面封止部材を前記装置容器本体に対して解放可能に固定するための封止部材固定手段をさらに有し、前記封止部材固定手段は、フック機構を有する第１封止部材固定手段と、圧嵌機構を有する第２封止部材固定手段と、を有する、ことを特徴とする。
【００１５】
第８の態様による本発明は、第１乃至第７のいずれかの態様による本発明において、前記ウェットティッシュ取出し口の上方を開放可能に封止するための蓋部材をさらに有する、ことを特徴とする。
【００１６】
第９の態様による本発明は、第１乃至第８のいずれかの態様による本発明において、前記蓋部材の操作箇所をユーザーに表示するための表示手段をさらに有し、前記表示手段は、前記発熱体に電力が供給されている場合に発光する発光体を有する、ことを特徴とする。
【００１７】
第１０の態様による本発明は、第１乃至第９のいずれかの態様による本発明において、前記ウェットティッシュ収納体内のウェットティッシュの残量を表示するための残量表示手段をさらに有する、ことを特徴とする。
【００１８】
第１１の態様による本発明は、第１乃至第１０のいずれかの態様による本発明において、前記上面封止部材は、その少なくとも一部が前記上面開口を介して前記装置容器本体の内部に嵌め込まれるように形成されており、前記上面封止部材と前記装置容器本体との間の相補的な形状が非対称に形成されている、ことを特徴とする。
【発明の効果】
【００１９】
本発明によれば、ウェットティッシュ加熱装置における安全性をより一層高めることができる。
【図面の簡単な説明】
【００２０】
【図１】本発明の一実施形態によるウェットティッシュ加熱装置を斜め前方向から見た斜視図。
【図２】図１に示したウェットティッシュ加熱装置を斜め後方向から見た斜視図。
【図３】図１および図２に示したウェットティッシュ加熱装置の左右方向中央部の縦断面図。
【図４】図１および図２に示したウェットティッシュ加熱装置を、その蓋部材を開放した状態で示した斜視図。
【図５】図１および図２に示したウェットティッシュ加熱装置の上面封止部材を斜め前方向から見た斜視図。
【図６】図５に示したウェットティッシュ加熱装置の上面封止部材の正面図。
【図７】図５に示した上面封止部材を斜め上方から見た分解斜視図。
【図８】図５に示した上面封止部材を斜め下方から見た分解斜視図。
【図９】図１および図２に示したウェットティッシュ加熱装置の昇降載置台の上面側を示した斜視図。
【図１０】図９に示したウェットティッシュ加熱装置の昇降載置台の裏面側を示した斜視図。
【図１１】図１に示したウェットティッシュ加熱装置の装置容器本体を斜め前方向から見た斜視図。
【図１２】図２に示したウェットティッシュ加熱装置の装置容器本体を斜め後方向から見た斜視図。
【図１３】図１および図２に示したウェットティッシュ加熱装置の内部にウェットティッシュ収容体を収納する様子を示した縦断面図。
【図１４】図１および図２に示したウェットティッシュ加熱装置の内部にウェットティッシュ収容体が収納された状態を示した縦断面図。
【図１５】図１４に示したウェットティッシュ加熱装置の蓋部材を開放した状態を示した縦断面図。
【図１６】（ａ）は、図１および図２に示したウェットティッシュ加熱装置における電力供給遮断手段を説明するための縦断面図であり、装置容器本体から上面封止部材を取外した状態を示し、（ｂ）は、（ａ）の断面位置を示した図。
【図１７】（ａ）は、図１および図２に示したウェットティッシュ加熱装置における電力供給遮断手段を説明するための縦断面図であり、装置容器本体に上面封止部材を装着した状態を示し、（ｂ）は、（ａ）の断面位置を示した図。
【図１８】図１および図２に示したウェットティッシュ加熱装置における電力供給遮断手段の動作を説明するための図であり、図１６に示した状態に対応する説明図。
【図１９】図１および図２に示したウェットティッシュ加熱装置における電力供給遮断手段の動作を説明するための図であり、図１７に示した状態に対応する説明図。
【図２０】図１および図２に示したウェットティッシュ加熱装置における電力供給遮断手段の誤操作を防止するための機構を説明するための斜視図。
【図２１】図１および図２に示したウェットティッシュ加熱装置におけるウェットティッシュ押付け手段を説明するための上面図。
【図２２】図２１のＡ−Ａ線に沿った縦断面図。
【発明を実施するための形態】
【００２１】
以下、本発明の一実施形態によるウェットティッシュ加熱装置について、図面を参照して説明する。
【００２２】
本実施形態によるウェットティッシュ加熱装置は、可撓性材料から成る容器（例えばビニール袋）の中に複数枚のウェットティッシュが収容されたウェットティッシュ収容体をその内部に収納して、常温よりも高い温度に加熱されたウェットティッシュをその使用時に供給するためのものである。
【００２３】
図１乃至図４に示したように、本実施形態によるウェットティッシュ加熱装置１は、ウェットティッシュ収納体を収容するための装置容器本体２と、装置容器本体２の上面開口を封止するように装置容器本体２に装着された上面封止部材３を備えている。上面封止部材３は、封止部材固定手段４によって、装置容器本体２に対して解放可能に固定されている。
【００２４】
図３に示したように、装置容器本体２の内部には、ウェットティッシュ収納体を上面封止部材３の下面に向けて付勢するための収納体付勢手段５を備えている。収納体付勢手段５は、装置容器本体２の内部に昇降自在に設けられ、ウェットティッシュ収納体が上面に載置される昇降載置台６と、昇降載置台６の下面と装置容器本体２の底面との間に配置されたバネ部材７と、を有する。
【００２５】
図３および図４に示したように、上面封止部材３の中央部には、装置容器本体２の内部からウェットティッシュを取り出すためのウェットティッシュ取出し口８が形成されている。ウェットティッシュ取出し口８は、上面封止部材３の上面に形成された凹部９の底面に形成されている。
【００２６】
上面封止部材３の上面には蓋部材１０が蝶番式に開閉自在に設けられており、蓋部材１０によって上面封止部材３の凹部９の上面が封止されている。
【００２７】
蓋部材１０は、板バネ部材１１によって開放方向に付勢されており、また、蓋部材１０の前側中央部を押圧することによって係止状態が解除するワンプッシュ機構（図示を省略）を備えている。このため、閉鎖状態にある蓋部材１０の前側中央部を押圧することにより、蓋部材１０が自動的に開放する。また、開放状態にある蓋部材１０を閉じて、その前側中央部を押圧することにより、蓋部材１０が閉鎖状態に固定される。従ってユーザーは、例えば一方の手がふさがっている場合でも、蓋部材１０の開閉動作を他方の手で簡単に行なうことができる。
【００２８】
蓋部材１０の操作箇所をユーザーに表示するための表示手段１２として、図１乃至図３に示したように操作箇所に装飾１２Ａが施されている。また、暗所でも操作箇所を認識できるようにするための表示手段１２として、図３に示したように、操作箇所を内側から照らすためのＬＥＤ（発光体）１２Ｂが設けられている。ＬＥＤ光の透過性をあげるために、ＬＥＤ光が透過する部分の部材の厚みを薄くすると共に、そこに使用している樹脂着色料の原料として炭素を極力減らしている。
【００２９】
図５および図６に示したように、上面封止部材３を装置容器本体２に対して解放可能に固定するための封止部材固定手段４は、フック機構を有する第１封止部材固定手段１３と、圧嵌（クランプ）機構を有する第２封止部材固定手段１４と、を有する。第１封止部材固定手段１３は、上面封止部材３の左右両側に揺動自在に設けられたフック部材１３Ａを有する。第２封止部材固定手段１４は、上面封止部材３の左右両側に設けられた係合片１４Ａを有する。
【００３０】
図７および図８に示したように、上面封止部材３は環状の中空構造を備えており、上面封止部材３の内部には、ウェットティッシュ取出し口８を囲むようにして発熱体（収納体加熱手段）１５が設けられている。発熱体１５は、例えばマイカ・クロム・ヒータから構成されており、バイメタルスイッチにより温度制御を行なって、温度をほぼ一定に保つように構成されている。
【００３１】
図１および図２に示したように、電源ケーブル１６が上面封止部材３の後面に接続されており、この電源ケーブル１６を介して発熱体１５に電力が供給される。発熱体１５に電気的に接続された端子（図示を省略）が上面封止部材３に設けられており、この端子に対して電源ケーブル１６が着脱自在に接続されている。
【００３２】
電源ケーブル１６は上面封止部材３に対して着脱自在であるため、例えば、ウェットティッシュの保温を必要としない時期には、上面封止部材３から電源ケーブル１６を外しておいて、ウェットティッシュ加熱装置１をウェットティッシュ収容体の単なる収納容器として使用することができる。
【００３３】
図９および図１０は、ウェットティッシュ収容体が載置される昇降載置台６を拡大して示している。昇降載置台６は、その左右両側の上面に凹部６Ａを有しており、中央部６Ｂの上面が相対的に突出している。これにより、例えばウェットティッシュ収容体の左右端部の剛性が高い場合でも、ウェットティッシュ収容体の中央部分を、昇降載置台６の凸状の中央部６Ｂで適切に押し上げることができる。従って、ウェットティッシュ収容体の中央部分を上面封止部材３の下面に対して適切に押付けることができ、ウェットティッシュの良好な加熱状態を確保することができる。
【００３４】
図１０に示したように、昇降載置台６の裏面中央部には短筒状部分１７が形成されており、図３に示したように、短筒状部分１７の内側にバネ部材７の上端が嵌合される。装置容器本体２の底面中央部にも短筒状部材１８が形成されており、この短筒状部材１８の内側にバネ部材７の下端が嵌合される。このようにバネ部材７の上端および下端を各短筒状部材１７、１８に嵌合することにより、バネ部材７の脱落を確実に防止している。
【００３５】
図１１に示したように、装置容器本体２の後側の内壁面には、一対の案内部材１９Ａが上下方向に延在して突設されている。一方、図１０に示したように、昇降載置台６の後面には、装置容器本体２の後側の内壁面に突設された各案内部材１９Ａが挿入される各案内溝２０Ａが形成されている。
【００３６】
図１２に示したように、装置容器本体２の前側の内壁面には、４つの案内部材１９Ｂが上下方向に延在して突設されている。一方、図９に示したように、昇降載置台６の前面には、装置容器本体２の前側の内壁面に突設された各案内部材１９Ｂが挿入される各案内溝２０Ｂが形成されている。
【００３７】
図１１および図１２に示したように、装置容器本体２の左右の内壁面には、各一対の案内溝２１Ａ、２１Ｂが上下方向に延在して形成されている。一方、図９および図１０に示したように、昇降載置台６の左右の側面には、装置容器本体２の左右の内壁面に形成された各案内溝２１Ａ、２１Ｂに挿入される各案内部材２２Ａ、２２Ｂが突設されている。
【００３８】
装置容器本体２側に設けられた案内部材１９Ａ、１９Ｂおよび案内溝２１Ａ、２１Ｂと、昇降載置台６側に設けられた案内溝２０Ａ、２０Ｂおよび案内部材２２Ａ、２２Ｂとが、上下方向に摺動可能に嵌め合わせられる。これにより、昇降載置台６の昇降動作が案内されるので、当該昇降動作を安定化することができる。
【００３９】
図９に示したように、昇降載置台６の前面中央部には、例えば赤色のマーキング２３が施されている。図１１および図１２に示したように、装置容器本体２の前壁には表示窓２４が形成されている。マーキング２３および表示窓２４によって、ウェットティッシュの残量を表示するための残量表示手段２５が構成されている。
【００４０】
すなわち、ウェットティッシュの消費に伴ってウェットティッシュ収容体が薄くなり、これに応じて昇降載置台６が上昇すると、昇降載置台６の前面中央部の赤色のマーキング２３が、装置容器本体２の表示窓２４から見えるようになる。これによりユーザーは、ウェットティッシュの残量が少ないことを認識することができる。
【００４１】
図１１および図１２に示したように、装置容器本体２の左右側壁の上部中央には、図５および図６に示した第１封止部材固定手段１３のフック部材１３Ａが係止される係止縁１３Ｂが形成されている。また、装置容器本体２の左右側壁の上部中央には、図５に示した第２封止部材固定手段１４の係合片１４Ａが係合される係合開口１４Ｂが形成されている。
【００４２】
このようにフック機構を有する第１封止部材固定手段１３に加えて、圧嵌（クランプ）機構を有する第２封止部材固定手段１４を設けたので、第１封止部材固定手段１３の係止状態が解除された場合でも、第２封止部材固定手段１４によって、上面封止部材３が装置容器本体２から簡単には外れないようにすることができる。
【００４３】
上面封止部材３は、その下半部が装置容器本体２の上面開口を介して装置容器本体２の内部に嵌め込まれるように形成されている。上面封止部材３と装置容器本体２とは互いに相補的な形状を備えている。この相補的な形状が、前後方向および／または左右方向に非対称に形成されてり、これにより、前後の逆組付けを防止している。
【００４４】
ウェットティッシュ加熱装置１の内部にウェットティッシュ収容体を収納する際には、図１３に示したように、装置容器本体２に対する上面封止部材３の固定状態を解除し、上面封止部材３を装置容器本体２から取外す。そして、装置容器本体２の上面開口を介して、ウェットティッシュ収容体２６を昇降載置台６の上に載置する。昇降載置台６上に載置されたウェットティッシュ収容体２６に対して、上から上面封止部材３を被せ、上面封止部材３の下面でウェットティッシュ収容体２６をバネ部材７の弾発力に抗して下方に押し込む。
【００４５】
ウェットティッシュ収容体２６を下方に十分に押し込むことにより、上面封止部材３の係合片１４Ａが装置容器本体２の係合開口１４Ｂに係合し、上面封止部材３の暫定的な固定状態が達成される。この状態で上面封止部材３のフック部材１３Ａを操作して、装置容器本体２の係止縁１３Ｂに係止することにより、図１４に示したように装置容器本体２に対する上面封止部材３の固定が完了する。
【００４６】
上述したように上面封止部材３の内部には発熱体１５（図７）が設けられており、この発熱体１５からの熱によって上面封止部材３の下面が加熱されている。図１４に示したようにウェットティッシュ収容体２６の上面は上面封止部材３の下面に接触しているので、ウェットティッシュ収納体２６内の複数のウェットティッシュにおいて、最上層のウェットティッシュから下層に向けて熱が伝わっていくことになる。従って、次に使用される最上層のウェットティッシュを最も良く加熱することができる。
【００４７】
ウェットティッシュを使用する際には、図１５に示したように、蓋部材１０を開放して、上面封止部材３に形成されたウェットティッシュ取出し口８を介してウェットティッシュ２７を取り出す。ウェットティッシュ２７の消費に伴ってウェットティッシュ収容体２６の厚みが薄くなってきた場合でも、バネ部材７によって昇降載置台６が上方に付勢されているので、ウェットティッシュ収容体２６の厚みの減少に応じて昇降載置台６が上方に移動する。これにより、ウェットティッシュ収容体２６の使用期間の全体にわたって、ウェットティッシュ収容体２６の上面が上面封止部材３の下面に押付けられた状態を維持することができる。
【００４８】
上述した構成に加えて、本実施形態によるウェットティッシュ加熱装置１は、図１６および図１７に示したように、装置容器本体２に対する上面封止部材３の装着状態を検出し、非装着状態においては発熱体（収納体加熱手段）１５への電力供給を遮断するための電力供給遮断手段２８を備えている。
【００４９】
すなわち、図１６および図１７に示したように、発熱体１５に対して電気的に接続されたスイッチ２９が上面封止部材３の内部に設けられている。スイッチ２９は、その導通状態と遮断状態とを切り換えるための被操作片３０を有する。一方、上面封止部材３を装置容器本体２に装着した際にスイッチ２９を切り替え操作する操作片３１が装置容器本体２に設けられている。操作片３１は、昇降載置台６の昇降動作を案内するために装置容器本体２に設けられた案内部材１９Ｂと一体に形成されている。
【００５０】
装置容器本体２の上面開口に上面封止部材３を装着すると、図１８および図１９に示したように、装置容器本体２側の操作片３１がスイッチ２９の被操作片３０に当接され、被操作片３０が上方に押圧されて上昇する。これにより、スイッチ２９が遮断状態から導通状態に切り替わり、発熱体１５に対する電力の供給が開始される。
【００５１】
これとは逆に、上面封止部材３を装置容器本体２から取外すと、スイッチ２９の被操作片３０に対する操作片３１からの押圧が解除される。これにより、被操作片３０が降下して、スイッチ２９が導通状態から遮断状態に切り替わり、発熱体１５に対する電力の供給が遮断される。
【００５２】
また、図３に示した表示手段１２は、そのＬＥＤ１２Ｂに対する電力の供給が、発熱体１５に対する電力の供給が遮断されると同時に遮断されるように構成されている。
【００５３】
図２０（および図５、図６）に示したように、スイッチ２９の被操作片３０の周囲には、被操作片３０の誤操作を防止するために遮蔽部材３２が設けられている。遮蔽部材３２は、筒状部材の一部をその軸線方向に切り欠いて形成されており、遮蔽部材の切欠部３２Ａに操作片３１が挿入可能である。
【００５４】
以上述べたように、本実施形態によるウェットティッシュ加熱装置１によれば、装置容器本体２から上面封止部材３を取外すと、発熱体１５に対する電力の供給が遮断されるので、上面封止部材３に接続された電源ケーブル１６がコンセントに差し込まれた状態のままでも、上面封止部材３の取外しによって発熱体１５の加熱状態が解除される。これにより、加熱状態にある上面封止部材３との接触による熱傷等を確実に防止することができる。また、取外した状態にある上面封止部材３を暖房器具として使用する等の誤使用を確実に防止することもできる。
【００５５】
また、スイッチ２９の被操作片３０を操作するための操作片３１が、昇降載置台６の昇降動作を案内するために装置容器本体２に設けられた案内部材１９Ｂと一体に形成されているので、構造の簡素化を図ることができると共に、製造コストを低減することできる。
【００５６】
また、表示手段１２のＬＥＤ１２Ａに対する電力の供給は、発熱体１５に対する電力の供給が遮断されると同時に遮断されるようにしたので、ユーザーは、表示手段１２の点灯状態を確認することにより、ウェットティッシュ加熱装置１が加熱状態にあることを認識することができる。
【００５７】
また、スイッチ２９の被操作片３０の周囲に遮蔽部材３２を設けたので、取り外された上面封止部材３のスイッチ２９の被操作片３０が誤操作されることを防止できる。
【００５８】
上述した構成に加えて、本実施形態によるウェットティッシュ加熱装置は、ウェットティッシュ収納体２６から外部に引き出された部分のウェットティッシュ２７を、ウェットティッシュ取出し口８の周囲の部材に押し付けるためのウェットティッシュ押付け手段を備えている。
【００５９】
すなわち、図３および図４に示したように、ウェットティッシュ押付け手段として、蓋部材１０の内側に、蓋部材１０を閉じた状態において上面封止部材３の凹部９内に突出する突出部３３が形成されている。図３および図２２に示したように、突出部３３は中空構造を有しており、その内部に断熱材３４が設けられている。
【００６０】
図３および図２２に示したように、突出部３３の下面は、ウェットティッシュ取出し口８の全体を上から覆う平面によって形成されている。また、突出部３３の下端周縁部とウェットティッシュ取出し口８の周縁部とが近接している。このため、ウェットティッシュ収納体２６からウェットティッシュ取出し口８を介して引き出された部分のウェットティッシュ２７は、蓋部材１０の下面に設けられた突出部３３によってウェットティッシュ取出し口８の周縁部に押圧される。
【００６１】
以上述べたように本実施形態によるウェットティッシュ加熱装置１によれば、蓋部材１０の内側に突出部３３を形成して、ウェットティッシュ取出し口８を介して引き出された部分のウェットティッシュ２７を、ウェットティッシュ取出し口８の周縁部（加熱状態にある）に押付けるようにしたので、ウェットティッシュ２７を確実に加熱することができる。
【００６２】
また、突出部３３の内部に断熱材３４を設けたので、ウェットティッシュ取出し口８付近の保温性が高められ、これにより、ウェットティッシュ取出し口８を介して引き出された部分のウェットティッシュ２７をより一層確実に加熱することができる。
【符号の説明】
【００６３】
１  ウェットティッシュ加熱装置
２  装置容器本体
３  上面封止部材
４  封止部材固定手段
５  収納体付勢手段
６  昇降載置台
６Ａ  昇降載置台の凹部
６Ｂ  昇降載置台の凸部
７  バネ部材
８  ウェットティッシュ取出し口
９  上面封止部材の凹部
１０  蓋部材
１１  板バネ部材
１２  表示手段
１２Ａ  蓋部材の操作箇所を示す装飾（表示手段）
１２Ｂ  ＬＥＤ（表示手段）
１３  第１封止部材固定手段
１３Ａ  フック部材
１３Ｂ  係止縁
１４  第２封止部材固定手段
１４Ａ  係合片
１４Ｂ  係合開口
１５  発熱体（収納体加熱手段）
１６  電源ケーブル
１７  昇降載置台の短筒状部分
１８  装置容器本体の短筒状部分
１９Ａ、１９Ｂ  装置容器本体の案内部材
２０Ａ、２０Ｂ  昇降載置台の案内溝
２１Ａ、２１Ｂ  装置容器本体の案内溝
２２Ａ、２２Ｂ  昇降載置台の案内部材
２３  マーキング
２４  表示窓
２５  残量表示手段
２６  ウェットティッシュ収容体
２７  ウェットティッシュ
２８  電力供給遮断手段
２９  スイッチ
３０  スイッチの被操作片
３１  スイッチの被操作片を操作する操作片
３２  遮蔽部材
３３  突出部（ウェットティッシュ押付け手段）
３４  断熱材
【図１】
2015216992.tif 000003
【図２】
2015216992.tif 000004
【図３】
2015216992.tif 000005
【図４】
2015216992.tif 000006
【図５】
2015216992.tif 000007
【図６】
2015216992.tif 000008
【図７】
2015216992.tif 000009
【図８】
2015216992.tif 000010
【図９】
2015216992.tif 000011
【図１０】
2015216992.tif 000012
【図１１】
2015216992.tif 000013
【図１２】
2015216992.tif 000014
【図１３】
2015216992.tif 000015
【図１４】
2015216992.tif 000016
【図１５】
2015216992.tif 000017
【図１６】
2015216992.tif 000018
【図１７】
2015216992.tif 000019
【図１８】
2015216992.tif 000020
【図１９】
2015216992.tif 000021
【図２０】
2015216992.tif 000022
【図２１】
2015216992.tif 000023
【図２２】
2015216992.tif 000024